(57)【特許請求の範囲】
【請求項１】
供給装置（３８）と、ジャケット組立体（２）と、詰替えカートリッジ（４０）を有する供給装置組立体であって、
前記供給装置（３８）は、前記ジャケット組立体（２）を受け入れるようにされた空洞（５６）を含み、
前記空洞（５６）は、前記ジャケット組立体（２）の位置合わせ部材を受け入れる寸法にされた切り欠き（５８）を有し、前記空洞には、前記ジャケット組立体（２）が前記供給装置（３８）中に装着された構成にあるときに、前記ジャケット組立体（２）の当接部材が当接する出っ張り（６０）が形成され、
前記ジャケット組立体（２）は、少なくとも１つの握り部（２２）で前記詰替えカートリッジ（４０）に固定され、
前記ジャケット組立体（２）は、第１の端部と、第２の端部と、これらの間の縦軸と、第１の端部と第２の端部との間に延びる壁とを有する本体（４）を更に有し、
前記壁は、断面において連続するとともに前記縦軸を取り囲むことにより、前記詰替えカートリッジ（４０）のための囲いを構成し、
前記本体（４）は、前記縦軸に沿って前記詰替えカートリッジ（４０）挿入用の開口部を有し、
前記位置合わせ部材は、前記壁に設けられ、形状が直線であるとともに前記本体の前記縦軸に平行な縦軸を有し、
前記当接部材は、前記壁に設けられ、前記当接部材と前記位置合わせ部材とがＴ字型を形成するように前記位置合わせ部材の前記縦軸を横切り、
前記当接部材は、前記ジャケット組立体（２）を前記供給装置（３８）内で位置決めするための、前記供給装置（３８）の内面の出っ張り（６０）に当接するようにされる、ことを特徴とする供給装置組立体。
【請求項２】
前記ジャケット組立体（２）の壁は、形状が曲線である、請求項１に記載の供給装置組立体。
【請求項３】
前記ジャケット組立体（２）は、前記本体（４）上に位置する、前記詰替えカートリッジ（４０）の上部を覆うケージを形成するシールド手段（２４）を有し、前記シールド手段（２４）は、前記本体の第１の端部から外方に前記縦軸に沿って延びる複数の直立部材（２６）を含む、請求項１に記載の供給装置組立体。
【請求項４】
前記供給装置（３８）は、前記空洞（５６）内に設けられた、前記供給装置（３８）の供給端部に向いて位置するスイッチ（６２）を有し、
前記ジャケット組立体（２）の前記直立部材の少なくとも１つの上に小塊（３０）が位置し、
前記小塊（３０）は、前記ジャケット組立体（２）が前記供給装置（３８）中に装着された構成にあるときに前記スイッチ（６２）に当接して、前記供給装置（３８）のスイッチ（６２）を動作位置に動かすようにされる、請求項３に記載の供給装置組立体。
【請求項５】
前記小塊（３０）は前記ジャケット組立体（２）の前記直立部材から突出している、請求項４に記載の供給装置組立体。
【請求項６】
前記スイッチ（６２）は、バネ荷重式のプッシュスイッチである、請求項４または５に記載の供給装置組立体。
【請求項７】
前記位置合わせ部材と前記当接部材は、単一成形品を形成する、請求項１に記載の供給装置組立体。
【発明の詳細な説明】
【技術分野】
【０００１】
本発明は、カートリッジ用のジャケット組立体に関する。具体的には、以下に限定されるわけではないが、本発明は、空気を芳香、消臭、又は消毒するための流体を供給する装置で使用するエアロゾルカートリッジ用のジャケット組立体に関する。
【背景技術】
【０００２】
供給装置、例えば芳香剤供給装置は、特に心地よい芳香を生成し、或いは悪臭を消すためにこれらを使用する家庭環境において一般的なものである。装置には、通常、電源コンセントから離して配置することができ、リード線又は電池によって電気的に動作することができる独立タイプ、或いは電源コンセントに直接プラグを差し込み、プラグイン装置として知られているタイプの２つのタイプがある。通常、これらの上記のタイプのいずれか１つが、香料詰替えカートリッジとの組み合わせで動作する。詰替えカートリッジは、空気に触れるとゲル状の香料が発散するゲル性のもの、香りを含む液体が芯に引き上げられ空気にさらされると蒸発する芯状のものであってもよく、或いは別様に、詰替えカートリッジは、圧力によって流体が供給されるエアロゾル状のものであってもよい。
【０００３】
エアロゾル詰替えカートリッジは、ホルダすなわちジャケット組立体に保持され、次にこのジャケット組立体が装置に挿入されることが多い。ジャケット組立体は、カートリッジ周囲に保護シールドを備えて、例えば輸送中又は保存中にカートリッジが損傷を受ける危険性を最小限に抑える。しかしながら、このようなジャケット組立体はしばしば取扱いが困難であり、誤った方向で装置に挿入されがちである。その際に、組立体の不整合により、エアロゾルカートリッジのバルブステムが損傷を受ける危険性が増加する。
【発明の概要】
【発明が解決しようとする課題】
【０００４】
本発明の目的は、取扱いが容易であるとともに装置の不整合の危険性を最小限に抑えたカートリッジ用のジャケット組立体を提供することにある。
【課題を解決するための手段】
【０００５】
本発明の１つの態様によれば、供給装置に受け入れられるようにされたカートリッジ用のジャケット組立体が提供され、このジャケット組立体は、第１の端部と、第２の端部と、これらの間の縦軸と、第１の端部と第２の端部との間に延びる壁とを有する本体を備え、この壁は、断面において連続するとともに縦軸を取り囲むことにより、カートリッジのための囲いを構成し、本体は、縦軸に沿ってカートリッジ挿入用の開口部を有し、壁には、形状がほぼ直線であるとともに本体の縦軸に平行な縦軸を有する位置合わせ部材が位置する。
【０００６】
本発明のジャケット組立体は、詰替えカートリッジとともに提供することができ、或いは詰替えカートリッジを別個に提供することもできる。詰替えカートリッジとともに提供する場合、ジャケット組立体は、カートリッジ周囲に保護シールドを備えて、例えば輸送中又は保存中にカートリッジが損傷を受ける危険性を最小限に抑える。その後、ジャケット組立体及びカートリッジがともに供給装置に挿入され、ジャケット組立体は、正しい方向での挿入を確実にする１又はそれ以上の、好ましくは１つの位置合わせ部材を有する。ジャケット組立体は、供給装置に損傷を与えることなく容易に取り外されてカートリッジの交換を可能にする。
【０００７】
壁は、形状がほぼ曲線であることが好ましい。壁は、形状がほぼ円筒形であることが好ましい。壁は、断面が円形であることが好ましい。
【０００８】
本体は、その一端にカートリッジ挿入用の開口部を有することが好ましい。
【０００９】
位置合わせ部材は、本体の壁の直線的な突起であり、本体の縦軸の長さに平行であるとともにこれに沿うことが好ましい。位置合わせ部材は、供給装置への挿入時に実質的に変形不可能であることが好ましい。ジャケット組立体と位置合わせ部材とは、供給装置への挿入前、挿入中、及び挿入後に同じ断面であることが好ましい。
【００１０】
位置合わせ部材は断面がほぼ長方形であり、或いは少なくとも部材の３つの側面に沿う断面がほぼ長方形であることが好ましい。
【００１１】
位置合わせ部材は、好ましくは第２の端部から、壁の長さに沿って少なくとも途中まで延びることが好ましい。前記部材は、壁の長さの約３分の２延びることが好ましく、約２ｃｍから２０ｃｍの間延びることが好ましく、約２ｃｍから１０ｃｍの間延びることが好ましく、約４ｃｍ延びることが最も好ましい。
【００１２】
位置合わせ部材は、幅が約０．５ｃｍから５ｃｍの間であることが好ましく、約１ｃｍから２ｃｍの間であることが好ましく、約１．３ｃｍであるであることが最も好ましい。位置合わせ部材は、奥行きが約０．２ｃｍから１ｃｍの間であることが好ましく、約０．３ｃｍから０．８ｃｍの間であることが好ましく、約０．５ｃｍであることが最も好ましい。
【００１３】
位置合わせ部材を提供することにより、消費者はより簡単にジャケット組立体を握るとともに該組立体を装置内へ導くことができるようになる。
【００１４】
壁には当接部材が設けられ、この当接部材は装置の内面の出っ張りに当接するようにされることが好ましい。当接部材は位置合わせ部材に隣接することが好ましい。当接部材は、位置合わせ部材の縦軸に直角に置かれることが好ましく、これにより、前記両方の部材がともにＴ字型を形成するようになることが好ましい。当接部材の下部は、本体の第２の端部と同一平面上にあることが好ましい。位置合わせ部材と当接部材とが、単一成形品を形成することが好ましい。
【００１５】
本体から、好ましくはその第１の端部からショルダが延びることが好ましい。ショルダ上には少なくとも１つの握り部が位置することが好ましく、詰替えカートリッジのネック部分を握るようにされることが好ましい。複数の握り部が設けられることが好ましい。この、又は個々の握り部は、弾性変形可能であることが好ましく、ショルダから内側へ向けて先細になり、ネック部分を係止位置に保持するためのスナップ嵌合を実現することが好ましい。
【００１６】
本体にはシールド手段が位置することが好ましく、第１の端部に位置することが好ましい。シールド手段はショルダから延びることが好ましい。シールド手段は複数の直立部材を含むことが好ましく、これらは、好ましくは等距離に間隙をあけた４つの前記部材であることが好ましい。前記部材は、詰替えカートリッジの上部を取り囲むようにされたカラーに固定されることが好ましい。
【００１７】
直立部材の少なくとも１つには、小塊が位置することが好ましい。小塊は、前記部材の縁部に向いて位置することが好ましい。小塊は、前記部材から上方へ突出することが好ましく、この距離は、約０．０５ｃｍから０．５ｃｍの間であることが好ましく、約０．１ｃｍから０．３ｃｍの間であることが好ましく、約０．２ｃｍであることが最も好ましい。小塊は、装置の表面上のスイッチに当接して、好ましくはスイッチを動作位置に動かすようになっていることが好ましい。
【００１８】
第２の端部には脚部が位置することが好ましい。各々が第２の端部から約０．５ｃｍから３ｃｍの間だけ延びる２つの脚部が設けられることが好ましく、この距離は約１ｃｍから２ｃｍの間であることが好ましくは、約１．５ｃｍであることが最も好ましい。脚部は下方へ向けて先細になることが好ましい。
【００１９】
ジャケット組立体は、エアロゾル詰替えカートリッジを受け入れるようにされることが好ましく、前記カートリッジは、空気を芳香、消臭、又は消毒するための流体を含むことが好ましい。
【００２０】
本発明のさらなる態様によれば、第１の端部と、第２の端部と、これらの間に延びる壁とを有する本体を含む、ジャケット組立体を受け入れるようにされた供給装置が提供され、壁には形状がほぼ直線である位置合わせ部材が位置し、供給装置は、ジャケット組立体を受け入れるようにされた空洞を含み、空洞は、位置合わせ部材を受け入れる寸法にされた切り欠きを有する。供給装置は、これまでに説明したようなジャケット組立体を受け入れるようになっていることが好ましい。
【００２１】
供給装置は、ジャケット組立体を受け入れるようにされた空洞を含み、空洞は、位置合わせ部材を受け入れる寸法にされた切り欠きを有することが好ましい。空洞は、好ましくはジャケット組立体が装着された構成にあるときに当接部材が当接する出っ張りを含むことが好ましい。
【００２２】
供給装置には、好ましくは空洞内にスイッチが設けられることが好ましい。スイッチは、装置の供給端部に向いて位置することが好ましい。スイッチは、バネ荷重式のプッシュスイッチであることが好ましい。スイッチは、ジャケット組立体が装着された構成にあるときにジャケット組立体の小塊により動作可能であることが好ましい。
【００２３】
供給装置には扉が設けられることが好ましい。扉は、前記装置にヒンジで取り付けられることが好ましい。扉は、空洞をほぼ閉鎖するようになっていることが好ましい。扉には閉鎖部材が設けられ、好ましくはジャケット組立体が装着された構成にあるときに、供給装置に対して扉を係止するようになっていることが好ましい。閉鎖部材は弾性変形可能であることが好ましく、前記装置のスロットに受け入れられることが好ましい。
【００２４】
扉内にはバネが位置することが好ましく、扉の内面に固定されて上向きに空洞内へ突出することが好ましい。バネは、長さが約０．５ｃｍから１．５ｃｍの間であることが好ましく、長さ約０．９ｃｍであることが最も好ましい。バネは、内面へ向けて約０．３ｃｍから１ｃｍの間の距離を動くことが好ましく、約０．６ｃｍの距離を動くことが最も好ましく、この長さは０．９ｃｍの開始長から算出される。バネ力は、約３５Ｎから５０Ｎの間であることが好ましく、約４２Ｎから４６Ｎの間であることが好ましく、約４４Ｎであることが最も好ましい。
【００２５】
本発明のさらなる態様によれば、ジャケット及び詰替えカートリッジ組立体が提供され、前記組立体は、供給装置に受け入れられるようにされるとともにジャケット部分と詰替えカートリッジとを備え、ジャケット部分は、第１の端部と、第２の端部と、これらの間の縦軸と、第１の端部と第２の端部との間に延びる壁とを有する本体を備え、この壁は、断面において連続するとともに縦軸を取り囲むことにより、カートリッジのための囲いを構成し、本体は、縦軸に沿ってカートリッジ挿入用の開口部を有し、壁には、形状がほぼ直線であるとともに本体の縦軸に平行な縦軸を有する位置合わせ部材が位置する。
【００２６】
本発明のさらなる態様によれば、これまでに説明したような供給装置と、ジャケット組立体と、詰替えカートリッジとを備えた供給装置組立体が提供される。
【００２７】
本発明のさらなる態様によれば、これまでに説明したようなジャケット組立体と詰替えカートリッジとを受け入れるようになっている供給装置が提供される。
【００２８】
本発明の１つの態様によれば、カートリッジ用のジャケット組立体が提供され、ジャケット組立体は、供給装置により受け入れられるようにされるとともに、第１の端部と、第２の端部と、これらの間に延びる壁とを備え、壁にはほぼ直線形状の位置合わせ部材が位置する。
【００２９】
本明細書に記載した全ての特徴を、上記の態様のいずれかとあらゆる組み合わせで組み合わせることができる。
【００３０】
例示のみを目的として、添付図面を参照しながら本発明の実施形態について説明する。
【図面の簡単な説明】
【００３１】
【図１】本発明によるジャケット組立体の概略斜視図である。
【図２】本発明によるジャケット組立体の概略正面図である。
【図３】本発明によるジャケット組立体の概略側面図である。
【図４】本発明によるジャケット組立体の別の概略側面図である。
【図５】本発明によるジャケット組立体の概略平面図である。
【図６】本発明によるジャケット組立体の概略後面図である。
【図７】本発明による供給装置とジャケット組立体と詰替えカートリッジとの概略断面図である。
【図８】本発明によるジャケット組立体と詰替えカートリッジとを備えた供給装置の概略後面図である。
【図９】本発明によるジャケット組立体と詰替えカートリッジとを備えた供給装置の概略斜視図である。
【図１０】本発明によるジャケット組立体と詰替えカートリッジとを備えた供給装置の概略断面図である。
【図１１ａ】第１の位置における図１０の供給装置の概略断面図である。
【図１１ｂ】第２の位置における図１０の供給装置の概略断面図である。
【発明を実施するための形態】
【００３２】
図１から図６は、本発明によるジャケット組立体２を示す図である。ジャケット組立体２は本体４を含み、この本体４は、断面がほぼ円形であるとともに縦軸６を有する。本体４は、第１の端部８と、第２の端部１０と、これらの間の壁１２とを含む。
【００３３】
壁１２には、位置合わせ部材１４が位置する。位置合わせ部材１４は、断面がほぼ長方形であるとともに第１の端部８に向かって縦軸６と平行に上方へ延びる。位置合わせ部材１４は、長さ約４ｃｍ、幅約１．３ｃｍ、及び奥行き約０．５ｃｍである。
【００３４】
壁１２には当接部材１６が位置する。当接部材１６は断面がほぼ長方形であり、約２ｃｍの長さ及び約０．５ｃｍの幅を有する。当接部材１６は、位置合わせ部材１４の下部に隣接して位置するとともに本体４の縦軸６に直角であることにより、図２に最も明確に示すように、前記部材１４、１６はともにＴ字型を形成するようになる。前記部材１４、１６を単一成形品として形成することができる。当接部材１６の下部１８は、第２の端部１０と同一平面上にある。
【００３５】
本体４は、第１の端部８に向かって内向きに湾曲するショルダ２０を含む。複数の握り部２２がショルダ２０から延び、本体４の内側に向けて先細になる。４つの握り部２２を設けているが、あらゆる適当な数を設けることができると理解されたい。握り部２２は、ジャケット組立体２の中に置かれる詰替えカートリッジのネック周囲にスナップ嵌合するために弾性変形可能である。
【００３６】
ショルダ２０からは、シールド手段２４も上方へ突出する。シールド手段２４は数多くの直立部材２６を含み、図には４つを示している。直立部材２６は等距離に間隙をあけ、個々の前記握り部２２の間に位置決めされる。直立部材２６の各々の上部２７はカラー２８に固定される。カラー２８は断面が円形であるとともに詰替えカートリッジのバルブステムのみがその間を通過できる寸法にされる。シールド手段２４は、詰替えカートリッジの上部を覆ってケージを形成する。
【００３７】
直立部材２６の上には小塊３０が位置する。図５はジャケット組立体２の平面図であり、図中、直立部材２６の外壁３２に隣接して小塊３０が取り付けられているのがわかる。小塊３０は、断面がほぼ長方形であるとともに直立部材２６から約０．２ｃｍ延びる。小塊３０を直立部材２６と一体成形することができる。
【００３８】
本体４の第２の端部１０には脚部３４が設けられる。脚部３４は、第２の端部１０から約１．５ｃｍ延び、足部３６に向けて徐々に先細になる。足部３６はプラットフォームを構成し、ジャケット組立体２は、供給装置で使用されていない場合、このプラットフォーム上に置かれる。
【００３９】
ジャケット組立体２は、エアロゾル詰替えカートリッジ、具体的には芳香剤装置用の香料詰替えカートリッジを受け入れるように構成される。
【００４０】
図７から図１１は、ジャケット組立体２用の供給装置３８を示す図である。これらの図は、供給装置３８と、詰替えカートリッジ４０とともに使用中のジャケット組立体２とを示している。供給装置３８は、上部４２と基部４４とを有する概ね涙型である。上部４２には、芳香エアロゾルなどの流体を装置３８から放出できるように流体出口４６が設けられる。
【００４１】
基部４４には開き扉４８が位置し、内部の開口部５０を閉鎖すべく動作可能である。開口部５０は、ジャケット組立体２を受け入れるような寸法にされる。開き扉４８は、フック形状の弾性変形可能な閉鎖部材５２を含む。閉鎖部材５２は、装置３８の空洞５６のスロット５４に受け入れられる。開き扉４８にバネ５７が固定されて、図７に示すように空洞５６の中へ内向きに突出する。バネ５７は長さ約０．９ｃｍであり、使用中は０．６ｃｍの距離だけ動く。バネ５７の力は約４４Ｎである。
【００４２】
開口部５０から空洞５６が延びる。空洞５６は、位置合わせ部材１４を受け入れるように成形された切り欠き５８を有する概ね円筒形である。切り欠き５８の下端には出っ張り６０が位置する。出っ張り６０は、ジャケット組立体２が空洞５６の内部に置かれた際に当接部材１６が当接する面の機能を果たす。その際、ジャケット組立体２が装置３８に過度に挿入されるのを防ぐ。
【００４３】
空洞５６の上面外側部分にスイッチ６２が位置する。スイッチ５６は、断面がほぼ長方形であるとともに、これに取り付けられるバネにより第１の位置から第２の位置へ動くべく動作可能である。スイッチ５６の動きは、ジャケット組立体２が装着された構成にあるときにスイッチ５６を押す小塊３０によって決定される。
【００４４】
第１の位置では、スイッチ５６は、図１１ａに示すように空洞の中へ延びる。この位置では、供給装置３８は、流体を供給すべく動作することができない。図１１ｂに示すように、スイッチ５６が第２の位置へ動くと、スイッチ５６が回路をつなぎ、前記装置３８を動作させて流体を供給する。
【００４５】
供給装置３８はコンセントの電源で動作することができ、或いは図示のように、区画６６に格納された電池６４により動作することもできる。
【００４６】
使用中、ユーザは、開口部５０を通じてジャケット組立体２を装置３８に挿入する。位置合わせ部材１４が切り欠き５８の中に進入する。ジャケット組立体２は、当接部材１６が出っ張り６０に当接するまで挿入される。出っ張り６０が、ユーザがジャケット組立体を空洞５６の中へ過度に押し込むのを防ぐ。この位置において、小塊３０はスイッチ６２と位置が合う。扉４８が開いている場合、小塊３０はスイッチ５６を押さず、スイッチ５６は第１の位置にとどまる。ユーザが扉４８を閉じ、閉鎖部材５２をスロット５４内に係止すると、バネ５７が詰替えカートリッジ４０の底部を押す。その際、ジャケット組立体２が上方へ押され、小塊３０がスイッチ６２を押す。
【００４７】
バネ５７によって動く距離は、小塊３０がスイッチ６２を第２の位置へ追いやるべく動く距離にほぼ等しい。従って、扉４８が閉じられると、供給装置３８は動作構成の状態になる。
【００４８】
位置合わせ部材１４と空洞５６との構成により、ジャケット組立体２は装置３８に１つの方向でしか挿入することができない。さらに、出っ張り６０を設けたことにより、ジャケット組立体２を装置３８内に逆さまに置くことはできない。その際、カートリッジ４０の不整合により、ユーザが装置３８、具体的には詰替えカートリッジ４０のバルブステムを損傷させることが防がれる。図９は、誤った位置に置かれたジャケット組立体２の例を示す図である。位置合わせ部材１４により、前記組立体２を空洞５６に完全に挿入できないようにされることを示している。
【００４９】
位置合わせ部材１４の形状は、前記部材１４が切り欠き５８から外れて動く危険性を最小限に抑えるという利点がある。例えば、位置合わせ部材１４が湾曲しているとしたら、ずれ及び動きの危険性が増加するであろう。従って、位置合わせ部材１４の直線性は非常に有利である。さらに、当接部材１６と出っ張り６０とを提供することにより、ジャケット組立体２を装置３８に過度に挿入できないことが確実にされるという利点も得られる。
【００５０】
ジャケット組立体２を装置３８に挿入する際に、位置合わせ部材１４と当接部材１６とがユーザを導く。その際、ユーザが、装置３８、ジャケット組立体２、又は詰替えカートリッジ４０に損傷を与える可能性は低い。
【００５１】
本出願に関連して、本明細書と同時に又は本明細書よりも以前に出願され、かつ本明細書と共に公開される全ての論文及び文献に目を向けてみると、このような全ての論文及び文献の内容が、引用により本明細書に組み入れられる。
【００５２】
（いずれの添付の特許請求の範囲、要約、及び図面をも含む）本明細書に開示する特徴の全て、及び／又は本明細書に開示する任意の方法又は処理のステップの全てを、このような特徴及び／又はステップの少なくともいくつかが互いに排他的である組み合せを除き、あらゆる組み合せで組み合わせることができる。
【００５３】
（いずれの添付の特許請求の範囲、要約、及び図面をも含む）本明細書に開示する個々の特徴を、特に明記しない限り、同じ目的、同等の目的、又は類似の目的を果たす別の特徴と置き換えることができる。従って、特に明記しない限り、開示した個々の特徴は、一般的な一連の同等又は類似の特徴の一例にすぎない。
【００５４】
本発明は、前述の（単複の）実施形態の詳細に限定されるものではない。本発明は、（いずれの添付の特許請求の範囲、要約、及び図面をも含む）本明細書に開示する特徴のあらゆる新規のもの、又はあらゆる新規の組み合わせにまで、或いは本明細書に開示するあらゆる方法又は処理のステップのあらゆる新規のもの、又はあらゆる新規の組み合わせにまで及ぶものである。
【符号の説明】
【００５５】
２  ジャケット組立体
４  本体
６  縦軸
８  第１の端部
１０  第２の端部
１２  壁
１４  位置合わせ部材
１６  当接部材
２４  シールド手段
３６  足部
【図１】
0005409374.tif 000002
【図２】
0005409374.tif 000003
【図３】
0005409374.tif 000004
【図４】
0005409374.tif 000005
【図５】
0005409374.tif 000006
【図６】
0005409374.tif 000007
【図７】
0005409374.tif 000008
【図８】
0005409374.tif 000009
【図９】
0005409374.tif 000010
【図１０】
0005409374.tif 000011
【図１１ａ】
0005409374.tif 000012
【図１１ｂ】
0005409374.tif 000013